(57)【要約】【課題】頭髪の薄くなった部分を目立たなくするように、簡単かつ自然な感じで補うための薄毛部分の補修方法を提供すること。【解決手段】ウェットな状態にした薄毛部分にカーボンブラックを噴霧した後、頭髪の薄くなった部分に頭髪を均等に分散させ、次いで、その表面に人工毛髪繊維を散布して髪型をセットする。なお、前記カーボンブラックの噴霧と人工毛髪繊維の散布をワンセットの処理として、このセットを複数回繰り返すようにすることが好ましい。【選択図】なし【特許請求の範囲】
【請求項１】
頭髪の薄くなった部分にカーボンブラックを噴霧した後、目の粗い櫛で髪を薄毛部全体に行き渡るように櫛入れし、次いで、その表面に人工毛髪繊維を散布して髪型をセットすることを特徴とする薄毛部分の補修方法。
【請求項２】
カーボンブラックの噴霧と人工毛髪繊維の散布をワンセットの処理として、このセットを複数回繰り返すようにした請求項１に記載の薄毛部分の補修方法。
【請求項３】
人工毛髪繊維が、再生繊維、半合成繊維、合成繊維、無機繊維、天然繊維、タンパク繊維、アミノ繊維から選択される１種または２種以上からなる長さが０．１〜０．７ｍｍの短繊維である請求項１または２に記載の薄毛部分の補修方法。
【請求項４】
カーボンブラックが、粒径が２０μｍ以下の粒子状あるいは繊維状のものである請求項１または２に記載の薄毛部分の補修方法。
【発明の詳細な説明】
【技術分野】
【０００１】
本発明は、頭髪の薄くなった部分を目立たなくするように、簡単かつ自然な感じで補うための薄毛部分の補修方法に関するものである。
【背景技術】
【０００２】
従来から、頭髪の不足を補って目立たなくする目的で、例えば特許文献１〜３に示されるように、種々の人工毛髪用短繊維が開発され市場に提供されている。また、特許文献４〜５に示されるように、前記人工毛髪用短繊維をスプレー容器、散布用容器に収納したものや、特許文献６に示されるように、短繊維に代えカーボン微粉末をスプレー容器に収納したもの等も提案されている。
【０００３】
前記の人工毛髪用短繊維は頭髪にボリューム感を持たせることができるため種々の市販品が出回っているが、頭皮や頭髪に強固に付着させることが難しく、使用中に落下してしまうという問題点があり、一方、接着力を強固にすると頭皮にムラなく散布することが難しく、自然な感じに仕上げることができないという問題点があった。また、カーボン微粉末を利用したものは頭皮に向け簡単にスプレー噴霧できるものの、頭髪にボリューム感を持たせることが難しく、更には自然な感じで増毛したようには見えないという問題点や、使用中にカーボン微粉末が落下してしまうという問題点もあった。
【特許文献１】特開２００４−３３２１４７号公報
【特許文献２】特公平７−４２４１７号公報
【特許文献３】特公平７−４２４１８号公報
【特許文献４】特開平１１−１５８０３４号公報
【特許文献５】特許第３５９４５８０号公報
【特許文献６】特開２００５−７５７４５号公報
【発明の開示】
【発明が解決しようとする課題】
【０００４】
本発明は上記のような問題点を解決して、頭髪にボリューム感を持たせることができ、また使用中における人工毛髪用短繊維の局部的な密集や落下等の不具合もなく、しかも簡単な手順で極めて自然な感じに増毛処理を行なうことができる薄毛部分の補修方法を提供することを目的として完成されたものである。
【課題を解決するための手段】
【０００５】
上記課題を解決するためになされた本発明の薄毛部分の補修方法は、頭髪の薄くなった部分にカーボンブラックを噴霧した後、目の粗い櫛で髪を薄毛部全体に行き渡るように櫛入れし、次いで、その表面に人工毛髪繊維を散布して髪型をセットすることを特徴とするものである。
なお、カーボンブラックの噴霧と人工毛髪繊維の散布をワンセットの処理として、このセットを複数回繰り返すようにすることがより好ましい。
【発明の効果】
【０００６】
本発明では、薄毛部分にカーボンブラックの噴霧と人工毛髪繊維の散布する処理を併用しワンセットの処理として行なうことにより、個々に行なう処理の足し算以上の相乗的な効果を得ることができ、頭髪にボリューム感を持たせることが可能となった。また、補修後における人工毛髪用短繊維の局部的な密集や落下等の不具合もなく、しかも簡単な手順で極めて自然な感じに増毛処理を行なうことが可能となる。
【発明を実施するための最良の形態】
【０００７】
以下に、本発明の好ましい実施の形態を示す。
本発明は薄毛部分にカーボンブラックを噴霧する処理と、人工毛髪繊維を散布する処理を併用し、これをワンセットの処理として行なう点に特徴的構成を有するものである。
即ち、頭髪の薄くなった部分にカーボンブラックを噴霧した後、目の粗い櫛で髪を薄毛部全体に行き渡るように櫛入れし、次いで、その表面に人工毛髪繊維を散布して髪型をセットすることを特徴とする薄毛部分の補修方法である。
【０００８】
前記カーボンブラックは、粒径が２０μｍ以下の粒子状あるいは繊維状のものであり、頭髪の薄くなった頭皮部分を黒くすることで目立たなくする作用を奏するものである。このカーボンブラックは、基本的には静電気の作用によって毛髪や頭皮にしっかりと付着することとなる。
【０００９】
またカーボンブラックは、スプレー容器内に溶剤、噴射剤とともに充填し、スプレーの形式で使用に供される。なお、このスプレー中には組成物の分散安定性を向上させるために、ジメチコンコポリオール等のシリコーン系界面活性剤や、ヤシ脂肪酸ソルビタン等の分散剤を添加することもできる。
【００１０】
前記人工毛髪繊維としては、例えば、レーヨンに代表される再生繊維、アセテート等のセルロース系やタンパク質系の半合成繊維、ナイロン、ビニロン、ビニリデン、ポリ塩化ビニル、ポリエステル、アクリル、ポリエチレン、ポリプロピレン、ポリウレタン、ベンゾエート、ポリクラール等の合成繊維を用いることができ、その他、有機系化学繊維以外のガラス繊維や炭素繊維等の無機繊維、更には動植物系の天然繊維、タンパク繊維、アミノ繊維等を用いることもできる。
【００１１】
前記人工毛髪繊維は、１０〜６０デニールの糸を０．１〜０．７ｍｍ、好ましくは０．３〜０．５ｍｍの長さの短繊維に切断し、これに黒などの染色をしたものである。また、性状としては、直線状、曲線状、屈曲状、捩り状等様々な性状であり、これにより少量でボリューム感を出す作用を奏している。
【００１２】
また、前記人工毛髪繊維は、容器本体の上部開口部に、例えば直径が１〜２ｍｍ程度の孔部を多数形成した中栓（孔部の開口度は１０〜３０％）が嵌められていて、人工毛髪繊維を定量的に振り出すことができる専用の容器内に充填し保管することが好ましい。そして、該容器より振り出された人工毛髪繊維は、静電気の作用によって毛髪や頭皮にしっかりと付着することとなる。
【００１３】
次に、本発明の補修手順について説明する。
先ず、頭髪をシャンプーしてタオルで拭く。次に、頭髪の薄くなった部分にカーボンブラックを噴霧した後、目の粗い櫛で髪が薄毛部全体に行き渡るように櫛入れする。この場合、頭髪をバーコード状にして頭皮に対し広く、かつ均等に頭髪行き渡るように櫛入れするのが好ましい。
次に、カーボンブラックが付着している部分の上に人工毛髪繊維を均一に散布して、頭髪および頭皮上に人工毛髪繊維を満遍なく付着させる。これにより、人工毛髪繊維が髪の１本１本に付着して太い髪に変わり、薄毛部全体の髪の量が大幅に増加した状態となる。次いで、頭髪に湿気がある状態のまま、櫛入れして任意の髪型をセットする。髪型をセット後は、ドライヤーにより加熱して髪を乾かす。以上の簡単な処理により、頭髪の薄くなった部分はほとんど完璧に隠蔽され、全く目立たなくなる。しかも増毛部分は極めて自然な感じであるため、第三者から見た場合に自毛と見分けがつかないものとなる。
【００１４】
これで、頭髪の薄くなった部分が目立たなければ完成であるが、通常はこれだけでは完全に補修されていない場合が多い。そこで、増毛効果の十分でない部分に対しては、再度カーボンブラックを噴霧して全体を黒くしてやれば薄毛部は完全に隠蔽されることとなり、より好ましい。
更に効果的な補修方法は、前記カーボンブラックの噴霧と人工毛髪繊維の散布をワンセットの処理として、このセットを複数回繰り返すことである。この場合は、著しい増毛効果が得られるため、頭髪の薄くなった部分はほぼ完全に隠されることとなる。
【００１５】
以上の説明からも明らかなように、本発明は、カーボンブラックを噴霧する処理と人工毛髪繊維の散布する処理を併用してワンセットの処理とし、この処理を行なうことにより、頭髪に顕著なボリューム感を持たせることを実現するものである。また、使用中における人工毛髪用短繊維の局部的な密集や落下等の不具合もなく、しかも簡単な手順で極めて自然な感じに増毛処理を行なうことを可能にするものである。
よって、本発明は従来の問題点を解決した薄毛部分の補修方法として、産業の発展に寄与するところ極めて大である。